(57)【要約】【課題】取得した画像のデータ容量の低減化、メール処理の簡略化、メールの添付画像容量の軽量化を図る。【解決手段】画像を表示する表示部（６）と、画像変換及び画像編集をする画像変換部（８）と、メールに編集するメール編集部（１０）とを備え、撮影等で取得した画像（１０４）を指定された画像サイズ又は画素密度に変換し、メッセージ（例えば、フォトメッセージ）を編集した画像（１０６）をメールに編集することにより、画像のデータ容量の低減化、メール送信前の処理の迅速化、メールに添付する画像の記憶容量の軽量化等を図っている。【選択図】図１
2011055293.tif 000002
【特許請求の範囲】
【請求項１】
取得した画像を表示する表示部と、
前記表示部に表示された前記画像を指定された画像サイズ又は画素密度に変換するとともに、メッセージ編集指示に基づき、前記画像サイズ又は前記画素密度に変換後、前記表示部に表示された画像にメッセージを編集する画像変換部と、
前記画像変換部で前記メッセージを編集した前記画像をメールに編集するメール編集部と、
を備えることを特徴とする、携帯端末装置。
【請求項２】
更に、前記画像変換部で変換前の前記画像を記憶する第１の記憶部と、
前記画像変換部で変換された前記画像を記憶する第２の記憶部と、
を備えることを特徴とする、請求項１に記載の携帯端末装置。
【請求項３】
前記画像サイズは、前記表示部に対応する表示サイズであることを特徴とする、請求項１に記載の携帯端末装置。
【請求項４】
画像を取得して表示する工程と、
表示された前記画像を指定された画像サイズ又は画素密度に変換するとともに、メッセージ編集指示に基づき、前記画像サイズ又は前記画素密度に変換後、その画像にメッセージを編集する工程と、
前記メッセージを編集した前記画像をメールに編集する工程と、
を含むことを特徴とする、画像処理方法。
【請求項５】
コンピュータによって処理される画像処理プログラムであって、
画像を取得して表示する機能と、
表示された前記画像を指定された画像サイズ又は画素密度に変換するとともに、メッセージ編集指示に基づき、前記画像サイズ又は前記画素密度に変換後、その画像にメッセージを編集する機能と、
前記メッセージを編集した前記画像をメールに編集する機能と、
を前記コンピュータに実行させることを特徴とする、画像処理プログラム。
【発明の詳細な説明】
【技術分野】
【０００１】
本発明は、撮像画像のサイズ変換、その画像への文字、記号、図形、着色、他の画像等のフォトメッセージ編集等、メール送信前の画像編集に関し、例えば、メール送信前の画像処理の迅速化や画像の軽量化を図った携帯端末装置、画像処理方法又は画像処理プログラムに関する。
【背景技術】
【０００２】
メール機能や撮影機能を備える携帯端末装置では、撮影等で取得した画像を編集し、その画像をメールに編集した後、送信している。
【０００３】
このような画像を添付するメール送信に関し、画像表示された静止画像の符号化データサイズが所定のサイズである場合、メール送信機能を起動させ、表示中の静止画像をメール本文に添付し、送信することが知られている（例えば、特許文献１）。
【０００４】
また、このようなメール送信において、表示画像上に電子アドレスを付加し、それを送信することが知られている（例えば、特許文献２の段落番号００６４）。
【先行技術文献】
【特許文献】
【０００５】
【特許文献１】特開２００６−１４８９０９号公報
【特許文献２】特開２００４−３１２５２５号公報
【発明の概要】
【発明が解決しようとする課題】
【０００６】
ところで、メール送信には種々の手順が含まれる。例えば、撮影等による画像取得、その保存、その一覧表示、添付する写真の選択、その画像編集、文字等の手書き入力、メールの編集、送信する宛先の入力、メールのタイトル入力、メール本文の入力、メールの送信である。このような手順にはある程度の習熟が必要であり、習熟者であっても斯かる手順が煩わしいという課題があった。
【０００７】
携帯端末装置に用いられるカメラ機能は高解像度化されている。高解像度の画像では、１画像当たり１〔Ｍbyte〕以上に及び、この画像保存には、１画像当たり１〔Ｍbyte〕以上の記憶容量を持つ画像保存メモリが必要である。このため、１０枚の編集画像を送信した場合には１０枚用の画像保存メモリ（例えば、１０〔Ｍbyte〕）と、１０枚用の画像編集メモリ（例えば、１０〔Ｍbyte〕）とが必要となり、合計２０〔Ｍbyte〕という大容量メモリが必要であり、メモリ中の画像占有量が大きくなるという課題がある。
【０００８】
そこで、本開示の携帯端末装置、画像処理方法又は画像処理プログラムの目的は、取得した画像のデータ容量の低減化、メール処理の簡略化を図ることにある。
【０００９】
また、本開示の携帯端末装置、画像処理方法又は画像処理プログラムの他の目的は、メールの添付画像容量の軽量化を図ることにある。
【課題を解決するための手段】
【００１０】
上記目的を達成するため、本開示の携帯端末装置、画像処理方法又は画像処理プログラムは、取得した画像を指定された画像サイズ又は画素密度に変換し、メッセージを編集した画像をメールに編集することにより、画像のデータ容量の低減化、メール送信前の処理の迅速化、メールに添付する画像の記憶容量の軽量化等を図っている。
【００１１】
そこで、上記目的を達成するため、本開示の携帯端末装置は、表示部と、画像変換部と、メール編集部とを備える。表示部は、取得した画像を表示する。画像変換部は、前記表示部に表示された前記画像を指定された画像サイズ又は画素密度に変換するとともに、メッセージ編集指示に基づき、前記画像サイズ又は前記画素密度に変換後、前記表示部に表示された画像にメッセージを編集する。メール編集部は、前記画像変換部で前記メッセージを編集した前記画像をメールに編集する。斯かる構成により、上記目的が達成される。
【００１２】
上記目的を達成するため、本開示の画像処理方法は、画像表示工程と、画像変換工程と、メール編集工程とを含む。画像表示工程は、画像を取得して表示する。画像変換工程は、表示された前記画像を指定された画像サイズ又は画素密度に変換するとともに、メッセージ編集指示に基づき、前記画像サイズ又は前記画素密度に変換後、その画像にメッセージを編集する。メール編集工程は、前記メッセージを編集した前記画像をメールに編集する。斯かる構成により、上記目的が達成される。
【００１３】
また、上記目的を達成するため、本開示の画像処理プログラムは、コンピュータによって処理される画像処理プログラムであって、画像表示機能と、画像変換機能と、メール編集機能とを含む。画像表示機能は、画像を取得して表示する。画像変換機能は、表示された前記画像を指定された画像サイズ又は画素密度に変換するとともに、メッセージ編集指示に基づき、前記画像サイズ又は前記画素密度に変換後、その画像にメッセージを編集する。メール編集機能は、前記メッセージを編集した前記画像をメールに編集する。斯かる構成により、上記目的が達成される。
【発明の効果】
【００１４】
本開示の携帯端末装置、画像処理方法又は画像処理プログラムによれば、次のような効果が得られる。
【００１５】
(1) 取得した画像を指定された画像サイズ又は画素密度に変換し、その画像にメッセージを編集するので、画像のデータ容量の軽減化とともに、メール処理の簡略化を図ることができる。
【００１６】
(2) 取得した画像を指定された画像サイズ又は画素密度に変換し、その画像にメッセージを編集するので、メールの添付画像容量の軽量化を図ることができる。
【００１７】
そして、本発明の他の目的、特徴及び利点は、添付図面及び各実施の形態を参照することにより、一層明確になるであろう。
【図面の簡単な説明】
【００１８】
【図１】第１の実施の形態に係る携帯端末装置の一例を示す図である。
【図２】第１の実施の形態に係る画像処理の処理手順の一例を示すフローチャートである。
【図３】第２の実施の形態に係る写真撮影画面を示す図である。
【図４】フォトメッセージ編集画面を示す図である。
【図５】メール作成画面を示す図である。
【図６】携帯電話機の機能部の一例を示す図である。
【図７】携帯電話機のハードウェアの一例を示す図である。
【図８】メモリの構成例を示す図である。
【図９】前面側から見た携帯電話機の一例を示す図である。
【図１０】背面側から見た携帯電話機の一例を示す図である。
【図１１】画像取得からメール保存までの処理手順の一例を示すフローチャートである。
【図１２】画像サイズ変換処理シーケンスを示すフローチャートである。
【図１３】画像サイズ変換を示す図である。
【図１４】第３の実施の形態に係るメール編集の処理手順を示すフローチャートである。
【図１５】第４の実施の形態に係るフォトメッセージ編集の処理手順を示すフローチャートである。
【図１６】第５の実施の形態に係るメモリの構成例を示す図である。
【図１７】第５の実施の形態に係るメール編集の処理手順を示すフローチャートである。
【図１８】第６の実施の形態に係る携帯端末装置の一例を示す図である。
【図１９】他の実施の形態に係る携帯情報端末機を示す図である。
【図２０】他の実施の形態に係るパーソナルコンピュータを示す図である。
【図２１】比較例の写真撮影からメール送信までの処理を示す図である。
【図２２】比較例の写真撮影からメール保存までの処理手順を示すフローチャートである。
【発明を実施するための形態】
【００１９】
〔第１の実施の形態〕
【００２０】
第１の実施の形態は、例えば、撮影により取得した写真等の画像を指定された画像容量である画像サイズに変換し、その画像にフォトメッセージを編集した後、メールに編集する機能を備える携帯端末装置であり、その画像処理方法及び画像処理プログラムに言及している。フォトメッセージは、画像上に合成可能な文字、記号、図形、着色、画像、手書き文字、手書き記号、手書き図形、その他の情報の何れか又は２以上であってもよく、写真等の画像上にメッセージ性を付与するものである。フォトメッセージ処理は、写真等の画像上にメッセージ性を付与する情報の付加処理であり、フォトメッセージ編集は、写真等の画像にメッセージを編集する処理である。
【００２１】
この第１の実施の形態について、図１を参照する。図１は、第１の実施の形態に係る携帯端末装置の一例を示す図である。図１に示す構成は一例であって、斯かる構成に本発明が限定されるものではない。
【００２２】
携帯端末装置２は、本開示の携帯端末装置、その画像処理方法及び画像処理プログラムの一例であって、図１に示すように、画像取得部４と、表示部６と、画像変換部８と、メール編集部１０とを備える。
【００２３】
画像取得部４は、画像を取得する手段又は機能部であって、例えば、撮影により画像を取得する撮影手段であればよく、外部から撮影画像を取り込む画像入力手段であってもよい。この画像取得部４には、高精細度画像、高解像度画像が得られるカメラ機能部を用いることができる。この画像取得部４に取得された画像は、例えば、画像メモリに原画像（メッセージ付加前の画像）として保存される。
【００２４】
表示部６は、画像表示をする手段であって、取得した第１の画像又は第１の画像から変換された第２の画像を表示する。この場合、後述のフォトメッセージの入力を指示又は促すフォトメッセージキー表示を表示してもよい。
【００２５】
画像変換部８は、取得した第１の画像を第２の画像に変換する変換機能部の一例であって、画像サイズ（例えば、画像の大きさ）の指定を受け、指定された画像サイズの第２の画像に変換する手段（機能部）である。また、この画像変換部８は、その画像に入力されたフォトメッセージを編集する画像編集手段を構成する。この場合、画像は、指定された画像サイズに変更すればよく、画像変換は、画像圧縮に限定されない。通常、第１の画像が高精細度画像であれば、第２の画像は画像圧縮された画像となるが、第１の画像の画像サイズが小さい場合には、第２の画像は、指定された画像サイズに拡大し、その場合、画像修正される処理を包含してもよい。
【００２６】
そして、メール編集部１０は、画像変換部８により変換され、且つ、フォトメッセージが付加された画像をメールに編集する編集手段（機能部）である。この場合、メールは、画像をメール形態に編集すればよく、メール本文やタイトル情報を付加してもよく、付加していない場合であってもよい。
【００２７】
次に、この携帯端末装置２について、図２を参照する。図２は、第１の実施の形態に係る画像処理の処理手順の一例を示すフローチャートである。図２に示す構成は一例であって、斯かる構成に本発明が限定されるものではない。
【００２８】
この処理手順は、携帯端末装置の画像処理方法又は画像処理プログラムの一例であって、機能又は工程を段階的に明示している。そこで、この処理手順では、図２に示すように、ステップＳ１１は、第１の画像を取得する取得工程又は機能であって、このステップＳ１１では、既述の画像取得部４により、少なくとも撮影により第１の画像を取得する。この場合、外部から第１の画像を通信等の手段により取得してもよい。
【００２９】
ステップＳ１２は、取得した第１の画像を表示する表示工程又は機能であって、このステップＳ１２では、原画像である第１の画像を表示部６の表示画面に表示する。
【００３０】
ステップＳ１３は、第１の画像を画像変換する変換工程又は機能であって、このステップＳ１３では、取得した第１の画像を第２の画像に変換する。この変換は、画像サイズの指定を受け、第１の画像を指定された画像サイズの第２の画像に変換する。
【００３１】
ステップＳ１４は、フォトメッセージを編集する編集工程又は機能であって、このステップＳ１４では、フォトメッセージの入力により、フォトメッセージを編集し、フォトメッセージが付加された第２の画像を得る。
【００３２】
ステップＳ１５は、変換後の第２の画像を表示する表示工程又は機能であって、このステップＳ１５では、変換後の画像である第２の画像を表示部６の表示画面に表示する。
【００３３】
そして、ステップＳ１６は、変換後の画像をメールに編集する編集工程又は機能であって、このステップＳ１６では、ステップＳ１５の画像変換後、第２の画像をメールに編集し、画像を添付したメールを生成させる。
【００３４】
このように、第１の実施の形態では、画像取得部４で取得された第１の画像を表示部６に表示し、画像変換部８では、画像サイズの指定に基づき、第１の画像をダイレクトに第２の画像に変換し、フォトメッセージを付加した画像として表示部６に表示させ、その画像をメール編集する。第１の画像がどのような画像サイズであってもよく、指定された画像サイズに応じて第２の画像に変換することができる。このような第１の画像の取得後、第２の画像にダイレクトに変換するので、その画像をメールに編集する場合、メール処理の迅速化や、第２の画像への変換により、メール添付画像の軽量化が図られる。
【００３５】
なお、画像変換は、画像圧縮の他、画像縮小、画像拡大、着色、モノクローム化等の処理であってもよいし、これらを併用してもよい。
【００３６】
〔第２の実施の形態〕
【００３７】
第２の実施の形態は、取得画像の画像変換機能、フォトメッセージ編集機能、メール編集機能を備える携帯電話機であり、その画像処理方法及び画像処理プログラムに言及している。
【００３８】
この第２の実施の形態について、図３、図４及び図５を参照する。図３は、第２の実施の形態に係る写真撮影画面を示す図、図４は、フォトメッセージ編集画面を示す図、図５は、メール作成画面を示す図である。図３、図４及び図５に示す構成は一例であって、斯かる構成に本発明が限定されるものではない。
【００３９】
携帯電話機１２は、既述の携帯端末装置２の一例であって、撮影機能、メール機能、画像編集等の画像変換機能、その他の機能を備えている。この携帯電話機１２では例えば、機能選択画面から写真撮影モードを選択し、起動させると、図３に示すように、写真撮影画面１４が表示される。この写真撮影画面１４からフォトメッセージ編集指示により、フォトメッセージ編集画面１６（図４）が表示され、フォトメッセージ編集が行える。フォトメッセージ編集指示は、メッセージ編集指示の一例であり、フォトメッセージ編集は、画像にメッセージを編集するメッセージ編集の一例である。そして、写真撮影画面１４からメール作成を選択すると、メール作成画面１８（図５）に遷移させることができる。
【００４０】
この携帯電話機１２には、表示部２０と、第１の入力部としてタッチ入力部２２と、第２の入力部としてキー入力部２４とが備えられ、表示部２０には、既述の写真撮影画面１４（図３）、フォトメッセージ編集画面１６（図４）、メール作成画面１８（図５）が表示される。タッチ入力部２２は例えば、タッチパネル部で構成される。このタッチ入力部２２は、指等による接触、加圧等によって文字、記号、図形の選択や、手書き文字、手書き記号、手書き図形、スケッチ等を入力することができ、表示されたキーを押下してキー入力をすることができる。キー入力部２４はハードウェアキーで構成される。
【００４１】
(1) 写真撮影画面１４（図３）
【００４２】
この写真撮影画面１４には、図３に示すように、タスク表示領域２８と、タイトル表示領域３０と、画像表示領域３２と、ガイド表示領域３４とが表示される。
【００４３】
タスク表示領域２８には、電池残量表示、電波強度表示、メール着信表示、時刻表示等が明示される。タイトル表示領域３０には、現在モードのタイトルが表示され、既述の写真撮影モードを表す「カメラマーク」が表示される。このカメラマークに代え、「写真撮影」と表示してもよい。
【００４４】
画像表示領域３２には例えば、写真撮影による取得画像（第１の画像即ち、原画像）が表示されている。また、ガイド表示領域３４には、メニューキー表示３６、フォトメッセージキー表示３８、メール作成キー表示４０、保存キー表示４２が表示されている。これらのキー表示３６、３８、４０、４２の表示箇所にタッチすれば、その入力等を行える。即ち、メニューキー表示３６にタッチすれば、メニューが表示される。フォトメッセージキー表示３８にタッチすれば、フォトメッセージ編集モードに移行する。メール作成キー表示４０にタッチすれば、メール作成モードに移行する。保存キー表示４２にタッチすれば、画像表示領域３２に表示されている画像、メール等の情報が保存される。
【００４５】
メニューキー表示３６、フォトメッセージキー表示３８、メール作成キー表示４０、保存キー表示４２は、キー入力部２４のハードウェア側のカーソルキー４４のキー４４２、４４４、４４６、４４８、決定キー４６に対応する。即ち、メニューキー表示３６、フォトメッセージキー表示３８、メール作成キー表示４０、保存キー表示４２に対応するキー４４２、４４４、４４６、４４８や決定キー４６の押下により、メニュー表示、フォトメッセージ編集、メール作成、保存の処理が行える。
【００４６】
(2) フォトメッセージ編集画面１６（図４）
【００４７】
このフォトメッセージ編集画面１６には、図４に示すように、タスク表示領域２８と、タイトル表示領域３０と、画像表示領域３２とが表示される。
【００４８】
タスク表示領域２８は、写真撮影画面１４と同様である。タイトル表示領域３０には、フォトメッセージ編集画面１６に対応する「フォトメッセージ編集」が表示される。
【００４９】
画像表示領域３２には、第１の画像から指定された画像サイズに変換された第２の画像が表示されるとともに、フォトメッセージとしてユーザが入力したメッセージが表示され、この場合、犬の画像上に「こんにち・・・」、吹き出し図形及びその中に表示された「ワン！」、犬を囲んで複数の星マークが表示されている。
【００５０】
(3) メール作成画面１８（図５）
【００５１】
フォトメッセージ編集画面１６を終了させてメール作成画面１８に移行させることができる。このメール作成画面１８では、図５に示すように、タスク表示領域２８と、タイトル表示領域３０と、メールレイアウト表示領域４８と、ガイド表示領域３４とが表示される。
【００５２】
タスク表示領域２８は、写真撮影画面１４と同様である。タイトル表示領域３０には、メール作成画面１８に対応する「メール作成（新規）」が表示される。
【００５３】
メールレイアウト表示領域４８には、メールレイアウト情報として、宛先欄、タイトル欄、本文欄、添付写真欄及び添付画像５０が表示される。添付画像５０は、既述のフォトメッセージ編集された画像が表示される。
【００５４】
ガイド表示領域３４には、メニューキー表示３６、送信キー表示５２、電話帳キー表示５４、宛先追加キー表示５６及び選択キー表示５８が表示されている。これらのキー表示３６、５２、５４、５６、５８の表示箇所にタッチすれば、その入力等を行える。また、メニューキー表示３６、送信キー表示５２、電話帳キー表示５４、宛先追加キー表示５６、選択キー表示５８は、キー入力部２４のハードウェア側のカーソルキー４４のキー４４２、４４４、４４６、４４８、決定キー４６に対応する。即ち、メニューキー表示３６、送信キー表示５２、電話帳キー表示５４、宛先追加キー表示５６又は選択キー表示５８に対応するキー４４２、４４４、４４６、４４８や決定キー４６の押下により、メニュー表示、メール送信、電話帳検索、宛先追加、選択等の処理が行える。
【００５５】
次に、携帯電話機１２について、図６、図７、図８、図９及び図１０を参照する。図６は、携帯電話機の機能部の一例を示すブロック図、図７は、携帯電話機のハードウェアの一例を示す図、図８は、メモリの構成例を示す図、図９は、表示画面側から見た携帯電話機の一例を示す図、図１０は、背面側から見た携帯電話機を示す図である。図６、図７、図８、図９及び図１０の構成は一例であって、斯かる構成に本発明が限定されるものではない。図６ないし図１０に示す構成は一例であって、斯かる構成に本発明が限定されるものではない。図６ないし図１０において、図１又は図３と同一部分には同一符号を付してある。
【００５６】
この携帯電話機１２は本開示の携帯端末装置、その画像処理方法又は画像処理プログラムの一例であって、この携帯電話機１２は、既述の画像変換部８、メール編集部１０を備え、取得画像の画像変換、フォトメッセージ編集、メール編集機能等を実現する。即ち、この携帯電話機１２では、フォトメッセージ機能を備え、写真撮影、フォトメッセージ編集、手書き入力、メール編集、宛先入力、メール送信という簡素化された手順により、大容量の画像保存メモリを使わずに、メール送信可能な編集メモリ（例えば、９０〔ｋbyte〕）を用いて画像編集メールの送信を実現する。
【００５７】
斯かる機能を実現するため、この携帯電話機１２の機能部には図６に示すように、呼制御部６０と、無線制御部６２と、メール編集部１０と、メール送信部６４と、画像変換部８と、撮影部６６と、タッチ入力部２２と、キー入力部２４と、画面表示部６８とを備えている。
【００５８】
呼制御部６０は、発呼又は着呼を制御する手段であって、無線制御部６２を通じて電話の着信、着信規制、自動発信、自動応答を制御し、通話相手先の電話番号に対し基地局を介して電話接続を行う。無線制御部６２は、通話信号の送受を行う制御手段の一例である。
【００５９】
メール編集部１０はメールに編集する機能部であって、変換後の画像（第２の画像）をメールに編集する。
【００６０】
メール送信部６４は編集後のメールを送信する機能部であって、既述の呼制御部６０に通信接続を指示し、その接続先にメールを送信する。
【００６１】
画像変換部８は取得した画像を所定の画像サイズに変換し、変換後の画像にフォトメッセージを付加、編集する機能部であって、この実施の形態では、画像サイズ管理部７０と、フォトメッセージ部７２とを備える。画像サイズ管理部７０は、指定された画像サイズに画像を変換する機能部であって、例えば、原画像を携帯電話画面サイズに変換する。また、フォトメッセージ部７２は画像にフォトメッセージを付加、編集する機能部であって、変換後の画像にフォトメッセージを付加、編集する。
【００６２】
撮影部６６は画像取得部４（図１）の一例であって、この実施の形態では、カメラを通じて写真撮影をし、被写体から画像を取得する。
【００６３】
タッチ入力部２２は既述の第１の入力部の一例であって、タッチパネル部に対するタッチによって文字や図形等の情報を入力する手段である。この場合、フォトメッセージがタッチ入力部２２からの入力によって画像上に生成され、付加される。
【００６４】
キー入力部２４は既述の第２の入力部の一例であって、ハードウェアキーを通じて記号や選択等の情報入力手段である。キー入力部２４のキーはタッチ入力部２２のキー表示やアイコンに対応させ、何れを操作しても、同様の入力や選択等の情報入力が行える。
【００６５】
画面表示部６８は表示画面に画像や記号等を表示する情報提示手段の一例であって、変換前の画像、変換後の画像、フォトメッセージキー表示３８等の各種の画面表示を行う。
【００６６】
そして、この携帯電話機１２には既述の機能部を実現するハードウェアが備えられている。このハードウェアには、図７に示すように、無線部７４と、カメラ部７６と、ＣＰＵ（Central Processing Unit ）７８と、メモリ８０と、表示部２０と、タッチパネル部８２と、キー操作部８３とが含まれる。
【００６７】
無線部７４は、基地局等の中継局との無線による通信手段の一例であって、アンテナ８４を備え、ＣＰＵ７８によって制御され、受信信号から音声信号やデータの復調再生や、音声信号又はデータと搬送信号とを用いて無線信号の生成を行う。即ち、無線部７４におけるこれらの機能は、ＣＰＵ７８の制御により、既述の呼制御部６０又は無線制御部６２（図６）によって実現される。
【００６８】
カメラ部７６は画像取得手段の一例であって、既述の撮影部６６に対応し、被写体から光学系を通して写真撮影を行い、画像を撮影部６６に提供する手段である。
【００６９】
ＣＰＵ７８は、画像や表示の制御手段、記憶制御手段、演算手段の一例である。このＣＰＵ７８では、メモリ８０にあるプログラムを実行し、無線部７４、カメラ部７６等の機能部の制御を行う。
【００７０】
メモリ８０は、ＯＳ（Operating System）や、既述の画像処理プログラム等のアプリケーションプログラムの他、データの記憶手段の一例であって、記録媒体によって構成される。
【００７１】
表示部２０は文字情報や画像情報を提示する手段の一例であって、例えば、ＬＣＤ（Liquid Crystal Display）表示素子等で構成され、ＣＰＵ７８によって制御される。既述の画像（変換前、変換後）や、フォトメッセージ等が表示される。
【００７２】
タッチパネル部８２は、表示部２０の表示画面上に設置された情報入力部であって、ユーザの指タッチを検出する手段であり、そのタッチ位置に割り付けられた検出機能や、入力情報を選択することができる。タッチパネル部８２に対するタッチ入力は、ＣＰＵ７８の制御により、既述のタッチ入力部２２に取り込まれる。
【００７３】
キー操作部８３は第２の入力部の一例であって、キー操作入力は、ＣＰＵ７８の制御により、既述のキー入力部２４に取り込まれる。
【００７４】
既述のメモリ８０には、図８に示すように、プログラム記憶部８６と、データ記憶部８８と、ＲＡＭ（Random-Access Memory）９０とが備えられる。
【００７５】
プログラム記憶部８６は記録媒体の一例であって、この記録媒体には既述のＯＳや、アプリケーションプログラムが格納される。アプリケーションプログラムには、本開示の画像処理プログラム等が含まれる。
【００７６】
データ記憶部８８は、第１の記憶部の一例として画像メモリ８８２、第２の記憶部の一例として編集メモリ８８４、フォトメッセージ保存フォルダ８８６が含まれる。フォトメッセージ保存フォルダ８８６には、変換後の画像の他、その画像を編集したメール等が格納される。
【００７７】
ＲＡＭ９０は、プログラムを実行する実行エリア（ワーキングエリア）を構成する。
【００７８】
そして、携帯電話機１２は、図９に示すように、第１の筐体部９２と、第２の筐体部９４とをヒンジ部９６によって開閉可能に連結している。筐体部９２には、キー入力部２４、マイクロフォン９８が備えられ、キー入力部２４には、カーソルキー４４、決定キー４６、文字入力キー１００等が備えられている。筐体部９４には、表示部２０、レシーバ１０２等が備えられている。カーソルキー４４の構成は既述の通りであるから、図３と同様の符号を付し、その説明を省略する。また、携帯電話機１２の筐体部９２の背面側には、図１０に示すように、カメラ部７６が設置されている。
【００７９】
次に、携帯電話機の処理について、図１１を参照する。図１１は、画像処理を含むメール編集の処理手順の一例を示すフローチャートである。
【００８０】
この携帯電話機の処理手順は、本開示の画像処理方法又は画像処理プログラムの一例であって、この実施の形態では、撮影・フォトメッセージ起動処理Ｆ１、フォトメッセージ処理Ｆ２、画像サイズ管理Ｆ３及びメール編集Ｆ４の各処理及び機能を含んでいる。
【００８１】
撮影・フォトメッセージ起動処理Ｆ１は画像取得及びフォトメッセージ起動の一例であって、この撮影・フォトメッセージ起動処理Ｆ１は、カメラ撮影による画像撮影（ステップＳ２０１）、フォトメッセージ起動（ステップＳ２０２）の工程（機能）を実行する。画像撮影（ステップＳ２０１）では、メニュー選択モードからカメラを起動し、被写体を撮影し、その画像を取得する。取得した画像（第１の画像）は、画像メモリ８８２に格納される。この実施の形態では、取得画像の記憶容量が１〔Ｍbyte〕である。また、フォトメッセージ起動（ステップＳ２０２）では、携帯電話機１２の写真撮影画面１４（図３）に取得画像とともに、フォトメッセージキー表示３８が表示されるので、このフォトメッセージキー表示３８をタッチし、フォトメッセージ編集を開始させる。
【００８２】
フォトメッセージ処理Ｆ２は、画像サイズ変更依頼（ステップＳ２０３）、画像編集（ステップＳ２０４）、編集画像保存依頼（ステップＳ２０５）、メール編集起動（ステップＳ２０６）の各工程（機能）を実行する。フォトメッセージ起動（ステップＳ２０２）によって開始され、画像サイズ変更依頼（ステップＳ２０３）では、画像サイズ管理Ｆ３に画像サイズの変更を依頼する。この画像サイズ変更の依頼は、取得した画像即ち、原画像を指示された画像サイズに変換する依頼である。
【００８３】
画像編集（ステップＳ２０４）は、画像サイズ変換処理を経た画像を編集メモリ８８４から取得し、その画像にフォトメッセージを付加する編集処理である。この編集処理の後、編集画像保存依頼（ステップＳ２０５）が発せられ、画像サイズ管理Ｆ３に対して通知される。
【００８４】
画像保存の後、メール編集起動（ステップＳ２０６）に移行し、このメール編集の起動をメール編集Ｆ４に通知し、フォトメッセージ処理Ｆ２を終了する。
【００８５】
画像サイズ管理Ｆ３は、画像サイズ変換（ステップＳ２０７）及び画像保存（ステップＳ２０８）の各工程（機能）を実行する。そこで、フォトメッセージ処理Ｆ２から画像サイズ変更依頼（ステップＳ２０３）を受けた画像サイズ管理Ｆ３では、取得している画像に対し、画像サイズ変換処理を実行し（ステップＳ２０７）、画像サイズ変換後の画像（第２の画像）を編集メモリ８８４に格納する。この実施の形態では、１〔Ｍbyte〕の画像が９０〔ｋbyte〕の画像に変換されている。
【００８６】
また、画像サイズ管理Ｆ３は、フォトメッセージ処理Ｆ２によって画像編集（ステップＳ２０４）の後、編集画像保存依頼（ステップＳ２０５）を受けて画像保存（ステップＳ２０８）の処理を実行する。この場合、編集メモリ８８４にある画像は、フォトメッセージ処理Ｆ２の処理により、フォトメッセージが付加、編集されている。そこで、この画像が画像保存処理（ステップＳ２０８）により、フォトメッセージ保存フォルダ８８６に保存される。即ち、フォトメッセージ保存フォルダ８８６には、画像サイズ変換後、フォトメッセージを付加した画像が保存される。
【００８７】
そして、メール編集Ｆ４は、フォトメッセージ処理Ｆ２からメール編集起動（ステップＳ２０６）を受けて実行され、送信画像読込み（ステップＳ２０９）、メール編集（ステップＳ２１０）、メール保存（ステップＳ２１１）の各工程（機能）を実行する。
【００８８】
フォトメッセージ処理Ｆ２からメール編集起動（ステップＳ２０６）を受けると、送信画像読込み（ステップＳ２０９）が実行され、フォトメッセージ保存フォルダ８８６から送信画像の読込みを行い、メール編集（ステップＳ２１０）に移行する。メール編集（ステップＳ２１０）では、メール作成画面１８（図５）を生成させ、メールを作成するとともに、フォトメッセージ保存フォルダ８８６にある画像をメールに編集する。メールに編集された画像は、メール保存（ステップＳ２１１）の指示により、フォトメッセージ保存フォルダ８８６に保存される。このメール保存は、メール編集前の画像を消去して画像添付メールを保存してもよく、別に添付前の画像と、画像添付メールとを併存させて保存してもよい。メール保存（ステップＳ２１１）は、メール作成画面１８（図５）からメール確定を選択することにより、又は、送信キー表示５２を選択することにより、そのメールがフォトメッセージ保存フォルダ８８６に保存される。
【００８９】
この実施の形態では、１〔Ｍbyte〕の画像が９０〔ｋbyte〕の画像サイズに変換され、その画像がメールに編集されて保存され、メール送信される。このため、画像容量は小さく、その記憶容量が大幅に削減される。従って、このような携帯端末装置、その画像処理方法又は画像処理プログラムを用いれば、メール処理の簡略化、迅速化を図ることができる。
【００９０】
次に、画像サイズ変換（ステップＳ２０７）について、図１２及び図１３を参照する。図１２は、画像サイズ変換処理の処理手順の一例を示すフローチャート、図１３は、画像サイズ変換を示す図である。
【００９１】
この画像サイズ変換の処理手順は、画像処理のサブルーチンの処理であって、画像サイズ変換の一例として画像圧縮処理を実行するため、図１２に示すように、画像サイズ変換指示Ｆ５、画面表示Ｆ６、画像変換エンジンＦ７を含んでいる。
【００９２】
画像サイズ変換指示Ｆ５は、携帯電話画面サイズ取得（ステップＳ３０１）、画面サイズ指定（Ｘ、Ｙ）（ステップＳ３０２）、画面サイズ変換依頼（ステップＳ３０３）、メモリ内の画像アドレスの取得（ステップＳ３０４）、画面サイズ変換依頼側での変換画像の取得（ステップＳ３０５）の各工程（機能）を実行する。画面表示Ｆ６は、携帯電話画面サイズ応答（ステップＳ３０６）の工程（機能）を実行し、また、画像変換エンジンＦ７は、縮小サンプリング値判定（ステップＳ３０７）、画素数縮小の実施（ステップＳ３０８）、ブロック圧縮の実施（ステップＳ３０９）、変換画像の通知（ステップＳ３１０）の各工程（機能）を実行する。
【００９３】
この実施の形態の場合、画像サイズとして携帯電話画面サイズが設定され、この携帯電話画面サイズを取得し（ステップＳ３０１）、画面表示Ｆ６に指示される。この画面サイズに対し、画面表示Ｆ６では、携帯電話画面サイズを画像サイズ変換指示Ｆ５に対して応答する（ステップＳ３０６）。この応答を受け、画像サイズ変換指示Ｆ５では、画面サイズ指定（Ｘ、Ｙ）を実行する（ステップＳ３０２）。この画面サイズ指定（Ｘ、Ｙ）は、画面のサイズをＸ軸方向、Ｙ軸方向の指定をし、そのサイズはＸ軸、Ｙ軸の座標上で指定される。このように画面サイズが決定されると、その画面サイズ変換を画像変換エンジンＦ７に依頼する（ステップＳ３０３）。
【００９４】
この画面サイズ変換の依頼後、画像１０４（原画像：第１の画像）を取得するとともに、その画像のメモリ内の画像アドレスを取得し（ステップＳ３０４）、その画像アドレスを画像変換エンジンＦ７に通知する。また、画像変換エンジンＦ７から変換後の画像１０６（第２の画像）を取得するとともに、変換画像アドレスの通知を受け、この場合、９０〔ｋbyte〕の画像サイズ（Ｘ、Ｙ）の画像を依頼側で取得する（ステップＳ３０５）。
【００９５】
また、画像変換エンジンＦ７では、画像サイズ変換指示Ｆ５から指示された画像アドレス情報により、画面サイズ比を基準にして縮小サンプリング値を判定し（ステップＳ３０７）、サンプリング処理による画素数の縮小を実施する（ステップＳ３０８）。これにより、画像１０４にブロック圧縮を実施する（ステップＳ３０９）。この画像変換により得られた変換画像を画像サイズ変換指示Ｆ５側に通知し（ステップＳ３１０）、このとき、変換画像アドレスが画像サイズ変換指示Ｆ５側に通知され、既述の９０〔ｋbyte〕の画像サイズ（Ｘ、Ｙ）の画像１０６が得られる。
【００９６】
このような画像処理では、画像サイズの変換前の画像１０４は、図１３の（Ａ）に示すように、カメラ部７６の撮影により得られた原画像であり、その画像サイズは１〔Ｍbyte〕であり、画像メモリ８８２には１〔Ｍbyte〕以上の記憶容量が必要である。
【００９７】
画像サイズが変換された画像１０６は、図１３の（Ｂ）に示すように、画像サイズとして例えば、携帯電話画面サイズに圧縮され、その画像サイズは例えば、９０〔ｋbyte〕である。このように圧縮された画像１０６では、その記憶容量は最小限の容量として９０〔ｋbyte〕あればよい。即ち、画像１０４に対して画像１０６は、９０〔ｋbyte〕／１〔Ｍbyte〕＝９０〔ｋbyte〕／１×１０3 〔ｋbyte〕＝０．０９となっており、１０分の１以下に低減されている。
【００９８】
画像１０６は大幅に画像サイズが小さくなっているが、表示部２０の表示画面では、十分な解像度で表示されるので、表示画像として実用上、視認上は全く問題にならない。
【００９９】
以上述べた第２の実施の形態について、特徴事項や効果を以下に列挙する。
【０１００】
(1) 携帯電話機１２は既述の通り、タッチパネル機能付きの携帯電話機である。この携帯電話機１２には、フォトメッセージ機能が付加され、「写真撮影」「フォトメッセージ編集」「手書き入力」「メール編集」「宛先入力」「メール送信」という簡素化された手順によりメール送信が行える。しかも、大容量の画像保存メモリに代え、メール送信可能な編集メモリ（例えば、９０〔ｋbyte〕）を用いればよく、編集された写真（例えば、手書き文字）をメールに編集して送信することが可能である。即ち、大容量の画像保存メモリは不要となる。
【０１０１】
(2) この携帯電話機１２では、例えば、写真撮影後のソフトキーとして、フォトメッセージキー表示３８が表示される。このフォトメッセージキー表示３８は、フォトメッセージ機能の選択キーであり、利用者がフォトメッセージキー表示３８をタッチするだけで、フォトメッセージ機能を選択し、起動することができる。即ち、写真編集（例えば、手書き文字入力）が可能となる。
【０１０２】
(3) 手書きで文字の入力後、メール編集を選択し、送信先メールアドレスを選択すれば、フォトメッセージが編集された画像をメール送信することができる。
【０１０３】
(4) メール送信に付加される画像は写真に限定されない。取得した画像は、携帯電話画面サイズに圧縮でき、軽量化された容量の画像に変換される。
【０１０４】
(5) 写真撮影で取得した画像は、メール添付に最適な画像にダイレクトに変換され、フォトメッセージを付加した後、メール編集してメール送信をすることができる。従って、メール送信前の処理の迅速化が図られる。
【０１０５】
〔第３の実施の形態〕
【０１０６】
第３の実施の形態は、取得画像の画像変換、メール編集の後、画像変換前の画像の消去を行う処理を含んでいる。
【０１０７】
この第３の実施の形態について、図１４を参照する。図１４は、第３の実施の形態に係る画像処理を含むメール編集の処理手順の一例を示すフローチャートである。図１４において、図１１に示すフローチャートと同一部分には同一符号を付し、その説明を省略する。
【０１０８】
この処理手順においても、第２の実施の形態と同様に、写真撮影画面表示（図３）、フォトメッセージ編集画面表示（図４）、メール作成画面表示（図５）、携帯電話機（図６、図７、図８、図９、図１０）が用いられる。
【０１０９】
この処理手順では、既述の通り、メール編集の後、画像変換前の画像を消去し、画像メモリ８８２の使用効率を向上させている。そこで、この処理手順では、図１１の撮影・フォトメッセージ起動処理Ｆ１、フォトメッセージ処理Ｆ２、メール編集Ｆ４に代え、図１４に示すように、撮影・フォトメッセージ起動・画像消去処理Ｆ１１、フォトメッセージ処理Ｆ２１、メール編集Ｆ４１が実行される。この場合、画像をメールに編集し（ステップＳ２１０）、そのメールをフォトメッセージ保存フォルダ８８６にメール保存し（ステップＳ２１１）、その後、メール編集処理通知を発し（ステップＳ２１２）、これをフォトメッセージ処理Ｆ２１に対して通知する。この通知を受けたフォトメッセージ処理Ｆ２１では、その通知を契機に、フォトメッセージ終了通知を発し（ステップＳ２１３）、これを撮影・フォトメッセージ起動・画像消去処理Ｆ１１側に通知する。この通知を受けた撮影・フォトメッセージ起動・画像消去処理Ｆ１１側では、画像メモリ開放を実行し（ステップＳ２１４）、この実行により、画像メモリ８８２にある変換前の画像が消去される。
【０１１０】
この実施の形態では、メール編集の完了まで原画像を保存することにより、その原画像の画像変換、画像変換後のフォトメッセージ処理、その画像のメール編集処理に活用することができる。そして、メール編集処理の完了とともに、変換前の画像、取得した原画像を消去し、画像メモリ８８２の記憶容量の効率化を図っている。この場合、画像メモリ８８２の原画像の消去処理は自動化されるので、原画像をユーザが選択して消去する手間がなく、処理の簡易化、迅速化が図られる。
【０１１１】
〔第４の実施の形態〕
【０１１２】
第４の実施の形態は、画像編集後の再画像編集の処理を含んでいる。
【０１１３】
この第４の実施の形態について、図１５を参照する。図１５は、第４の実施の形態に係るフォトメッセージ編集の処理手順の一例を示すフローチャートである。図１５において、図１１、図１４に示すフローチャートと同一部分には同一符号を付してある。
【０１１４】
この処理手順においても、第２又は第３の実施の形態と同様に、写真撮影画面表示（図３）、フォトメッセージ編集画面表示（図４）、メール作成画面表示（図５）、携帯電話機（図６、図７、図８、図９、図１０）が用いられる。
【０１１５】
この処理手順では、フォトメッセージ処理Ｆ２２に、画像編集起動（ステップＳ４０１）、画像読込み（ステップＳ４０２）、画像編集（ステップＳ４０３）、編集画像保存（ステップＳ４０４）及びメール編集起動（ステップＳ４０５）が含まれる。
【０１１６】
そこで、この処理手順では、画像編集起動（ステップＳ４０１）を実行すると、画像読込みが開始され（ステップＳ４０２）、フォトメッセージ保存フォルダ８８６から編集後の画像１０６（図１２）が編集メモリ８８４に読み込まれる。この編集メモリ８８４を用いて画像１０６に対し、再編集である画像編集が実行される（ステップＳ４０３）。この再編集後、編集画像保存（ステップＳ４０４）の実行により、再編集後の画像がフォトメッセージ保存フォルダ８８６に保存される。この場合、再編集前の画像は消去される。
【０１１７】
再編集後の画像１０６がフォトメッセージ保存フォルダ８８６に保存されると、画像の再編集処理からメール編集を可能とし、メール編集起動（ステップＳ４０５）がメール編集Ｆ４１に通知される。
【０１１８】
この場合、メール編集Ｆ４１側の処理は、図１１又は図１４に示すフローチャートと同様であるので、同一符号を付し、その説明を省略する。
【０１１９】
この場合、画像の再編集処理をフォトメッセージ保存フォルダ８８６に保存されている画像１０６を用いたが、画像メモリ８８２にある画像１０４を用いてもよい。その場合、その画像１０４は、画像サイズ変換処理を経た画像１０６に編集処理を行えばよい。また、画像サイズ変換処理を経た画像１０６を保存するメモリを備え、そのメモリから画像１０６を読み込む構成としてもよい。
【０１２０】
〔第５の実施の形態〕
【０１２１】
第５の実施の形態は、撮影直後の画像に代え、保存している画像データを画像変換、画像編集の対象としている。
【０１２２】
この第５の実施の形態について、図１６及び図１７を参照する。図１６は、第５の実施の形態に係るメモリの構成例を示す図、図１７は、第５の実施の形態に係る画像処理を含むメール編集の処理手順の一例を示すフローチャートである。図１６、図１７において、図８、図１４と同一部分には同一符号を付してある。
【０１２３】
この実施の形態では、メモリ８０のデータ記憶部８８に図１６に示すように、画像保存メモリ８８０が備えられている。この画像保存メモリ８８０は、撮影され又は外部から提供された複数の画像を保存する画像保存手段の一例である。この実施の形態では、保存中の画像から画像変換し、メールに編集する。
【０１２４】
この実施の形態においても、第２又は第３の実施の形態と同様に、写真撮影画面表示（図３）、フォトメッセージ編集画面表示（図４）、メール作成画面表示（図５）、携帯電話機（図６、図７、図８、図９、図１０）が用いられる。
【０１２５】
そこで、この処理手順では、既述の図１４の撮影・フォトメッセージ起動・画像消去処理Ｆ１１、フォトメッセージ処理Ｆ２１に代え、図１７に示すように、画像・フォトメッセージ起動・画像消去処理Ｆ１２、フォトメッセージ処理Ｆ２３が実行される。即ち、カメラ撮影（図１４のステップＳ２０１）に代え、画像選択依頼（ステップＳ５０１）、画像一覧表示（ステップＳ５０２）、画像選択（ステップＳ５０３）及び画像通知（ステップＳ５０４）の各工程（機能）が実行される。
【０１２６】
画像・フォトメッセージ起動・画像消去処理Ｆ１２では、表示画面に画像が表示される場合、既述のフォトメッセージキー表示３８（図３）が表示される。そこで、このフォトメッセージキー表示３８をタッチにより選択すると、フォトメッセージ処理Ｆ２３が起動され、そのフォトメッセージ選択通知がフォトメッセージ処理Ｆ２３に通知される。
【０１２７】
フォトメッセージ処理Ｆ２３では画像選択依頼（ステップＳ５０１）が画像・フォトメッセージ起動・画像消去処理Ｆ１２に通知され、画像一覧表示（ステップＳ５０２）が実行され、表示部２０には画像一覧が表示される。その一覧表示から画像選択（ステップＳ５０３）を行う。画像保存メモリ８８０に保存されている画像が選択され、その画像が画像メモリ８８２に転送される。この選択結果は、画像・フォトメッセージ起動・画像消去処理Ｆ１２から画像通知（ステップＳ５０４）が発せられ、フォトメッセージ処理Ｆ２３に通知される。
【０１２８】
このような処理を経て画像サイズ変更依頼（ステップＳ２０３）が画像サイズ管理Ｆ３に通知され、その後の処理は既述の図１４のフローチャートに記載した通りであるので、各工程に同一符号を付し、その説明を省略する。
【０１２９】
この実施の形態から明らかなように、画像変換、メール編集の処理は、カメラ撮影直後の画像に限定されることなく、保存中の画像を用いても、同様の処理を行うことができる。
【０１３０】
〔第６の実施の形態〕
【０１３１】
第１の実施の形態では、画像サイズの指示により画像変換を行っているが、第６の実施の形態では、画素密度の指示により画像変換を行う。
【０１３２】
この実施の形態の携帯端末装置２１では、図１８に示すように、画像変換部９に画像変更情報として画素密度が指定されている。そこで、この画像変換部９では、第１の画像が指定された画素密度に変換され、その結果、第２の画像が得られる。このような画素密度の指定に基づく画像変換によっても、画像容量の軽量化を図ることができる。
【０１３３】
〔他の実施の形態〕
【０１３４】
(1) 第１及び第６の実施の形態では、携帯端末装置、その画像処理方法又は画像処理プログラムを例示し、第２、第３、第４及び第５の実施の形態では、携帯電話機、その画像処理方法又は画像処理プログラムを例示した。本開示の携帯端末装置、その画像処理方法又は画像処理プログラムは、複数の撮影機能、画像処理機能、メール機能等を備えた電子機器に適用でき、上記実施の形態に限定されるものではない。例えば、撮影機能、画像処理機能、メール機能を備えた携帯情報端末機（ＰＤＡ：Personal Digital Assistant）２００（図１９）やパーソナルコンピュータ（ＰＣ）３００（図２０）等の電子機器であってもよい。
【０１３５】
ＰＤＡ２００は、図１９に示すように、装置本体２０２に表示部２０、タッチ入力部２２、キー入力部２４及びカメラ部７６等を備える。その他の構成は、第１ないし第６の実施の形態と同様の構成や機能を備えればよい。
【０１３６】
ＰＣ３００は、図２０に示すように、固定側筐体部３０２と可動側筐体部３０４とをヒンジ部３０６で開閉可能に連結し、筐体部３０２にはキー入力部２４、筐体３０４には表示部２０、タッチ入力部２２、カメラ部７６を備える。その他の構成は、第１ないし第６の実施の形態と同様の構成や機能を備えればよい。この場合、カメラ部７６は、ＰＣ３００の可動側筐体部３０４から離脱し又は独立した存在であってもよい。
【０１３７】
(2) 上記実施の形態では、フォトメッセージ入力の契機となる入力手段として、写真撮影画面１４（図３）のガイド表示領域３４に表示されたフォトメッセージキー表示３８によるタッチ入力としたが、ハードウェアキーを用いてもよく、例えば、カーソルキーやその他のキーにフォトメッセージ入力開始機能を割り付けることにより、同様にフォトメッセージ入力の開始処理を行えるようにしてもよい。
【０１３８】
(3) 上記実施の形態では、フォトメッセージ編集として、画像に文字（こんにち・・・）、図形（吹き出し、星マーク等）の編集例（図４）を示したが、本開示の携帯端末装置、その画像処理方法又は画像処理プログラムは、これに限定されない。編集するフォトメッセージは、文字、記号、図形、着色、画像、その他の情報の何れか又は２以上であればよく、着色や他の図形等、他の情報を付加する構成でもよい。
【０１３９】
〔比較例〕
【０１４０】
本開示の携帯端末装置（又は携帯電話機）、その画像処理方法又は画像処理プログラムの比較例について、図２１及び図２２を参照する。図２１は、写真をメールに編集する処理を示す図、図２２は、写真をメールに編集する処理手順を示すフローチャートである。
【０１４１】
写真をメールに編集する場合、図２１の（Ａ）に示すように、写真撮影を行い、保存キー４０２を操作し、その画像を保存する。複数枚の写真撮影を行えば、図２１の（Ｂ）に示すように写真撮影の後、一覧キー４０４を操作して写真一覧に移行する。この写真一覧では、図２１の（Ｃ）に示すように、複数枚の写真を表示させる。この一覧表示から、編集キー４０６を操作し、写真編集に移行させる。
【０１４２】
写真編集では、その画像上に手書き入力４０８を行い、写真編集の後、メールキー４１０を操作し、メール作成に移行する。メール作成では、宛先、タイトル、本文及び写真添付等の処理を経てメール編集を行う。このメール作成の後、送信キー４１２を操作すれば、編集後のメールが相手先に送信される。
【０１４３】
このような写真撮影、画像編集、メール作成及びその保存の処理について、その処理手順には、図２２に示すように、カメラ撮影Ｆ１００、画像編集Ｆ２００、メール編集Ｆ４００の各処理が含まれる。
【０１４４】
カメラ撮影Ｆ１００を立ち上げ、画像撮影（ステップＳ６０１）を行うと、その画像が画像保存（ステップＳ６０２）により、画像メモリ４１４に保存される。この場合、画像が１〔Ｍbyte〕であれば、画像メモリ４１４には１〔Ｍbyte〕以上の記憶容量が必要となる。
【０１４５】
画像編集Ｆ２００を立ち上げると、画像編集読込み（ステップＳ６０３）が行われ、写真保存フォルダ４１６から画像が編集メモリ４１８に読み込まれ、編集処理に用いられる。写真保存フォルダ４１６は画像メモリ４１４と別個に設置され、この写真保存フォルダ４１６には画像メモリ４１４から保存対象である画像が選択されて保存され、編集メモリ４１８にはその写真保存フォルダ４１６から編集対象の画像が読み込まれる。１〔Ｍbyte〕の画像であれば、画像メモリ４１４と同様に写真保存フォルダ４１６は１〔Ｍbyte〕以上の記憶容量に設定され、編集メモリ４１８も同様である。
【０１４６】
画像編集（ステップＳ６０４）は、編集メモリ４１８にある画像に対して実行され、画像編集を完了すれば、編集後画像保存（ステップＳ６０５）に移行する。この編集後の画像は、編集メモリ４１８から編集画像保存フォルダ４２０に転送され、保存される。この場合、編集メモリ４１８には１〔Ｍbyte〕の画像が格納されているので、この画像を保存するものとすれば、編集画像保存フォルダ４２０に同様の画像が保存され、その記憶容量は１〔Ｍbyte〕以上となる。
【０１４７】
そして、メール編集Ｆ４００では、編集画像保存フォルダ４２０から送信用の画像の読込み（ステップＳ６０６）が実行され、メール用の縮小処理（ステップＳ６０７）が実行され、縮小された画像が送信画像メモリ４２２に格納される。即ち、１〔Ｍbyte〕の画像は送信画像として９０〔ｋbyte〕に縮小される。この画像はメール編集（ステップＳ６０８）の実行により、メールに編集され、そのメールは編集メール保存（ステップＳ６０９）の実行により、メール画像保存フォルダ４２４に格納・保存され、メール送信まで待機する。この場合、メール画像保存フォルダ４２４には９０〔ｋbyte〕の記憶容量が設定されている。
【０１４８】
この比較例では、写真編集を伴うメールでは、写真撮影から送信操作までに多くの工程を経る必要がある。この比較例では、「写真撮影」、「その保存」、「一覧表示」、「写真選択」、「写真編集」、「手書き入力」、「メール編集」、「宛先入力」、「タイトル入力」、「本文入力」、「メール送信」という複雑且つ多くの工程（段階）が必要である。このような複数の工程を迅速に行うには、ある程度の習熟が必要であり、不慣れなユーザにあっては、操作に手間取ったり、疲労感を覚えるといった不都合を感じる。
【０１４９】
また、この比較例では、画像メモリ４１４、写真保存フォルダ４１６、編集メモリ４１８、編集画像保存フォルダ４２０、送信画像メモリ４２２、メール画像保存フォルダ４２４の各種のメモリが設定され、画像メモリ４１４、写真保存フォルダ４１６、編集メモリ４１８、編集画像保存フォルダ４２０は１〔Ｍbyte〕以上の記憶容量である。１メールのため、この比較例では、編集メモリ４１８の１〔Ｍbyte〕と、１〔Ｍbyte〕の編集画像保存フォルダ４２０と、９０〔ｋbyte〕のメール画像保存フォルダ４２４とが必要である。このため、１メール当たりの記憶容量（データ量）は、２〔Ｍbyte〕＋９０〔ｋbyte〕を確保する必要がある。
【０１５０】
この比較例に対し、本開示の携帯端末装置（又は携帯電話機）、その画像処理方法又は画像処理プログラムを用いれば、比較例の不都合は解消される。即ち、上記実施の形態に記載した通り、フォトメッセージ機能を用いることにより、「写真撮影」、「フォトメッセージ編集」、「手書き入力」、「メール編集」、「宛先入力」、「メール送信」という簡素化された手順によって画像を添付したメール送信が行える。斯かる処理では、大容量の画像保存メモリを使わずに、メール送信可能な編集メモリ（例えば、９０〔ｋbyte〕）だけを使って画像編集メール送信が行える。
【０１５１】
また、上記実施の形態で述べた通り、本開示の携帯電話機１２では、タッチパネル機能付きの携帯電話機にフォトメッセージ機能を追加しており、写真撮影後のソフトキーとしてフォトメッセージキー表示３８にタッチしてフォトメッセージ機能を選択し、写真編集（例えば、手書き文字入力）が可能である。この手書きで文字を入力した後、メール編集を選択し、送信先メールアドレスの選択を行うことにより、フォトメッセージが編集された画像のメール送信を行うことができる。
【０１５２】
このように、上記実施の形態に係る携帯端末装置２や携帯電話機１２、その画像処理方法又は画像処理プログラムによれば、比較例における課題が解決され、比較例にはない特徴を備え、比較例にはない効果が得られる。
【０１５３】
次に、以上述べた実施の形態から抽出される技術的思想に関し、更に以下の付記を開示する。なお、以下の付記に本発明が限定されるものではない。
【０１５４】
（付記１）  取得した画像を表示する表示部と、
前記表示部に表示された前記画像を指定された画像サイズ又は画素密度に変換するとともに、メッセージ編集指示に基づき、前記画像サイズ又は前記画素密度に変換後、前記表示部に表示された画像にメッセージを編集する画像変換部と、
前記画像変換部で前記メッセージを編集した前記画像をメールに編集するメール編集部と、
を備えることを特徴とする、携帯端末装置。
【０１５５】
（付記２）  更に、前記画像変換部で変換前の前記画像を記憶する第１の記憶部と、
前記画像変換部で変換された前記画像を記憶する第２の記憶部と、
を備えることを特徴とする、付記１に記載の携帯端末装置。
【０１５６】
（付記３）  前記画像サイズは、前記表示部に対応する表示サイズであることを特徴とする、付記１に記載の携帯端末装置。
【０１５７】
（付記４）  更に、前記画像変換部で変換するための前記画像を取得する画像取得部と、
を備えることを特徴とする、付記１に記載の携帯端末装置。
【０１５８】
（付記５）  更に、前記表示部に前記画像サイズ又は前記画素密度に変換前の前記画像を表示した際に、メッセージ入力表示を表示することを特徴とする、付記１に記載の携帯端末装置。
【０１５９】
（付記６）  更に、前記画像がメールに編集された後、前記画像変換部で変換前の画像を消去する記憶制御部と、
を備えることを特徴とする、付記１に記載の携帯端末装置。
【０１６０】
（付記７）  画像を取得して表示する工程と、
表示された前記画像を指定された画像サイズ又は画素密度に変換するとともに、メッセージ編集指示に基づき、前記画像サイズ又は前記画素密度に変換後、その画像にメッセージを編集する工程と、
前記メッセージを編集した前記画像をメールに編集する工程と、
を含むことを特徴とする、画像処理方法。
【０１６１】
（付記８）  更に、前記画像サイズ又は前記画素密度に変換前の前記画像を第１の記憶部に記憶する工程と、
変換後の前記画像を第２の記憶部に記憶する工程と、
を含むことを特徴とする、付記７に記載の画像処理方法。
【０１６２】
（付記９）  更に、変換前の前記画像を表示する工程と、
変換前の前記画像が表示された際に、メッセージ入力表示を表示する工程と、
を含むことを特徴とする、付記７に記載の画像処理方法。
【０１６３】
（付記１０）  更に、前記画像をメールに編集した後、前記画像サイズ又は前記画素密度の変更前の前記画像を消去する工程と、
を含むことを特徴とする、付記７に記載の画像処理方法。
【０１６４】
（付記１１）  コンピュータによって処理される画像処理プログラムであって、
画像を取得して表示する機能と、
表示された前記画像を指定された画像サイズ又は画素密度に変換するとともに、メッセージ編集指示に基づき、前記画像サイズ又は前記画素密度に変換後、その画像にメッセージを編集する機能と、
前記メッセージを編集した前記画像をメールに編集する機能と、
を前記コンピュータに実行させることを特徴とする、画像処理プログラム。
【０１６５】
（付記１２）  更に、前記画像サイズ又は前記画素密度に変換前の前記画像を第１の記憶部に記憶する機能と、
前記画像サイズ又は前記画素密度に変換後の前記画像を第２の記憶部に記憶する機能と、
を前記コンピュータに実行させることを特徴とする、付記１１に記載の画像処理プログラム。
【０１６６】
（付記１３）  更に、変換前の前記画像を表示する機能と、
変換前の前記画像が表示された際に、メッセージ入力表示を表示する機能と、
を含むことを特徴とする、付記１１に記載の画像処理プログラム。
【０１６７】
（付記１４）  更に、前記画像をメールに編集した後、前記画像サイズ又は前記画素密度に変更前の前記画像を消去する機能と、
を含むことを特徴とする、付記１１に記載の画像処理プログラム。
【０１６８】
以上説明したように、携帯端末装置、画像処理方法又は画像処理プログラムに関し、最も好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１６９】
本開示の携帯端末装置、画像処理方法又は画像処理プログラムでは、例えば、写真撮影より取得した大容量の画像を指定された画像サイズや画素密度の画像に変換し、その画像にメッセージを編集し、メールに編集する。このため、画像容量の軽量化やメール処理前の処理の迅速化が図られ、写真撮影機能やメール機能を備える携帯電話機等の電子機器に広く利用することができる。
【符号の説明】
【０１７０】
２  携帯端末装置
４  画像取得部
６  表示部
８  画像変換部
９  画像変換部
１０  メール編集部
１２  携帯電話機
１４  写真撮影画面
１６  フォトメッセージ編集画面
１８  メール作成画面
２０  表示部
２２  タッチ入力部
２４  キー入力部
２８  タスク表示領域
３０  タイトル表示領域
３２  画像表示領域
３４  ガイド表示領域
３６  メニューキー表示
３８  フォトメッセージキー表示
４０  メール作成キー表示
６６  撮影部
６８  画面表示部
７０  画像サイズ管理部
７２  フォトメッセージ部
７８  ＣＰＵ
８０  メモリ
８２  タッチパネル部
８３  キー操作部
【図１】
2011055293.tif 000003
【図２】
2011055293.tif 000004
【図３】
2011055293.tif 000005
【図４】
2011055293.tif 000006
【図５】
2011055293.tif 000007
【図６】
2011055293.tif 000008
【図７】
2011055293.tif 000009
【図８】
2011055293.tif 000010
【図９】
2011055293.tif 000011
【図１０】
2011055293.tif 000012
【図１１】
2011055293.tif 000013
【図１２】
2011055293.tif 000014
【図１３】
2011055293.tif 000015
【図１４】
2011055293.tif 000016
【図１５】
2011055293.tif 000017
【図１６】
2011055293.tif 000018
【図１７】
2011055293.tif 000019
【図１８】
2011055293.tif 000020
【図１９】
2011055293.tif 000021
【図２０】
2011055293.tif 000022
【図２１】
2011055293.tif 000023
【図２２】
2011055293.tif 000024